(57)【要約】【課題】携帯機器のように受信状況が移動によって変化しても、地上波デジタル放送の選局を快適に行い、受信状態を満足な状態に維持することが可能なデジタル放送受信装置を提供することを目的とする。【解決手段】デジタル放送信号を受信するチューナ部１１４と、チューナ部１１４により受信したデジタル放送信号を復調する復調手段１１４と、復調手段１１４により復調された信号をＭＰＥＧデコード処理するＭＰＥＧデコード処理部１１５と、ＭＰＥＧデコード処理部１１４にてデコードされた信号を表示する表示部１８と、携帯電話基地局と通信する通信部１５とを具備し、通信部１５により、携帯電話基地局と通信することによって電子番組表を取得し、電子番組表を用いて携帯電話基地局からデジタル放送受信に必要な選局情報を取得するデジタル放送受信装置。【選択図】      図１
2005026914.tif 000002
【特許請求の範囲】
【請求項１】
デジタル放送信号を受信するチューナ部と、
前記チューナ部により受信したデジタル放送信号を復調する復調手段と、
前記復調手段により復調された信号をＭＰＥＧデコード処理するＭＰＥＧデコード処理部と、
前記ＭＰＥＧデコード処理部にてデコードされた信号を表示する表示部と、
携帯電話基地局と通信する通信部とを具備し、
前記通信部により、前記携帯電話基地局と通信することによって電子番組表を取得し、前記電子番組表を用いて前記携帯電話基地局からデジタル放送受信に必要な選局情報を取得することを特徴とするデジタル放送受信装置。
【請求項２】
前記チューナ部による前記デジタル放送信号を受信するモードと、前記通信部による前記携帯電話基地局と通信するモードとを切り替える切り替え手段とを具備し、
前記チューナ部による前記デジタル放送信号を受信するモードのとき、前記デジタル放送信号の受信の中断時間が第１の所定時間以上になったとき前記通信部による前記携帯電話基地局と通信するモードに切り替えることを特徴とする請求項１記載のデジタル放送受信装置。
【請求項３】
前記チューナ部による前記デジタル放送信号を受信するモードと、前記通信部による前記携帯電話基地局と通信するモードとを切り替える切り替え手段とを具備し、
前記通信部による前記携帯機電話基地局と通信するモードのとき、前記デジタル放送信号を受信可能な時間が第１の所定時間以上になったとき前記チューナ部による前記デジタル放送を受信するモードに切り替えることを特徴とする請求項１記載のデジタル放送受信装置。
【請求項４】
前記チューナ部による前記デジタル放送信号を受信するモードと、前記通信部による前記携帯電話基地局と通信するモードとを切り替える切り替え手段とを具備し、
前記チューナ部による前記デジタル放送信号を受信するモードと前記通信部による携帯電話基地局と通信するモードのうちいずれのモードを用いて番組を視聴すると良いかについての情報を前記携帯電話基地局から随時取得し、この情報に従い前記モードを切り替えることを特徴とする請求項１記載のデジタル放送受信装置。
【発明の詳細な説明】
【０００１】
【発明の属する技術分野】
本発明は、デジタル放送受信装置に関する。
【０００２】
【従来の技術】
地上波デジタル放送は、主に据え置きＴＶ受信機向けの高データレート放送（以下１３セグメント放送）と主にモバイルＴＶ受信機向けの処理能力が制限されている携帯機器には低データレート放送（以下１セグメント放送）が規格化されている。この地上波デジタル放送では、同じ放送用のコンテンツを据え置きＴＶ受信器向け及びモバイルＴＶ受信器向けに１３セグメント放送及び１セグメント放送の２つのデータレートで放送することが想定されている。
【０００３】
また、携帯性を重視した個人用の情報端末で一般にＰＤＡと呼ばれるパーソナルデジタルアシスタントや、パーソナルコンピュータ（以下ＰＣ）等の汎用機器を利用し、デジタル放送受信用のモジュールやデジタル放送受信用のカード等の後付機器を汎用機器に接続することにより、デジタル放送受信機として機能させることが提案されている。
【０００４】
例えば、特許文献１には、ＰＣに後付の受信ユニットを接続し、ＴＶ放送を受信するシステムが開示されている。
これら携帯機器を用いて地上波デジタル放送を受信する場合、使用者が移動することによって携帯機器の使用環境が刻々と変化する。したがって使用者が移動して使用環境が変化しても、放送波の受信状態を満足に維持することが求められる。
【０００５】
しかしながら、地上波デジタル放送は地域単位の放送であるために、現在受信している地域から別の地域に移動した際には、現在視聴している番組を選局できないという問題がある。そこでＳＩ（Ｓｅｒｖｉｃｅ  Ｉｎｆｏｒｍａｔｉｏｎ）と呼ばれる番組配列情報やＰＳＩ（Ｐｒｏｇｒａｍ  Ｓｐｅｃｉｆｉｃ  Ｉｎｆｏｒｍａｔｉｏｎ）と呼ばれる番組特定情報を受信することで、地域単位で選局可能な番組を記録参照し、現在視聴している番組が他の地域に移動しても視聴できる場合には、選局を変更することが考えられる。ここでＳＩとは、番組選択の利便性のために規定された各種情報で、総務省令で定義されＡＲＩＢ規格として規定されている。なおＡＲＩＢ規格独自の拡張部分に加えて、ＭＰＥＧ−２のＰＳＩ情報も含まれる。またＰＳＩとは所要の番組を選択するために必要な情報で、ＰＡＴ、ＰＭＴ、ＮＩＴ、ＣＡＴの４つのテーブルからなる。ＭＰＥＧ−２システムズ規格であり、総務省令で規定されている。
【０００６】
しかしながら、ＳＩやＰＳＩは伝送速度が制限されているために、情報を取得するまでの時間がかかること、また各チャンネル毎で伝送されない情報もあるため移動した地域で放送される全ての情報のチャンネルを取得できないという問題がある。
【０００７】
また、使用者が電車で移動中にデジタル放送受信をしている場合を想定すると、（１）電車が地下やトンネル等の電波が届きにくい場所に入った場合、（２）電車がデジタル放送信号を送信している電波塔から離れる方向に移動していき電波が弱くなった場合、等の受信状況の変化によりデジタル放送を良好に受信することができない場合がある。
【０００８】
【特許文献１】
特開平１０−３９９７０号公報
【０００９】
【発明が解決しようとする課題】
本発明は、上記問題を解決するために成されたもので、携帯機器のように受信状況が移動によって変化しても、地上波デジタル放送の選局を快適に行い、受信状態を満足な状態に維持することが可能なデジタル放送受信装置を提供することを目的とする。
【００１０】
【課題を解決するための手段】
上記目的を達成するために、本発明は、デジタル放送信号を受信するチューナ部と、
前記チューナ部により受信したデジタル放送信号を復調する復調手段と、
前記復調手段により復調された信号をＭＰＥＧデコード処理するＭＰＥＧデコード処理部と、
前記ＭＰＥＧデコード処理部にてデコードされた信号を表示する表示部と、
携帯電話基地局と通信する通信部とを具備し、
前記通信部により、前記携帯電話基地局と通信することによって電子番組表を取得し、前記電子番組表を用いて前記携帯電話基地局からデジタル放送受信に必要な選局情報を取得することを特徴とするデジタル放送受信装置を提供する。
【００１１】
このとき、前記チューナ部による前記デジタル放送信号を受信するモードと、前記通信部による前記携帯電話基地局と通信するモードとを切り替える切り替え手段とを具備し、
【００１２】
前記チューナ部による前記デジタル放送信号を受信するモードのとき、前記デジタル放送信号の受信の中断時間が第１の所定時間以上になったとき前記通信部による前記携帯電話基地局と通信するモードに切り替えることが好ましい。
【００１３】
また、前記チューナ部による前記デジタル放送信号を受信するモードと、前記通信部による前記携帯電話基地局と通信するモードとを切り替える切り替え手段とを具備し、
【００１４】
前記通信部による前記携帯機電話基地局と通信するモードのとき、前記デジタル放送信号を受信可能な時間が第１の所定時間以上になったとき前記チューナ部による前記デジタル放送を受信するモードに切り替えることが好ましい。
【００１５】
また、前記チューナ部による前記デジタル放送信号を受信するモードと、前記通信部による前記携帯電話基地局と通信するモードとを切り替える切り替え手段とを具備し、
【００１６】
前記チューナ部による前記デジタル放送信号を受信するモードと前記通信部による携帯電話基地局と通信するモードのうちいずれのモードを用いて番組を視聴すると良いかについての情報を前記携帯電話基地局から随時取得し、この情報に従い前記モードを切り替えることが好ましい。
【００１７】
【発明の実施の形態】
以下、本発明の実施形態について図面を用いて詳細に説明する。なお、本発明は、以下の実施形態に限定されるものではない。
図１は、本発明の実施形態に係わるデジタル放送受信装置の概念図である。
図１に示すように、本発明のデジタル放送受信装置は、デジタル放送信号を入力するためのアンテナ１１と、このアンテナ１１から入力されたデジタル放送信号から番組を選局するための選局部１１４と、この選局部１１４からの信号をＭＰＥＧデコード処理するＭＰＥＧデコード部１１５とを具備している。選局部１１４では、番組を選局した後ＯＦＤＭ等の復調及びエラー訂正等も行う。またＭＰＥＧデコード部１１５で、ＭＰＥＧデコードされた信号は、映像信号及び音声信号に分けられ、映像信号は切り替え部１１２を介してディスプレイ１８に出力される。音声信号は切り替え部１１３を介してイヤホンジャック１１１に出力される。これらからデジタル放送受信部を構成している。
【００１８】
また、このデジタル放送受信装置は、携帯電話基地局からの信号を受信するためのアンテナ１１と、このアンテナ１１からの信号を増幅するためのアンプ１２と、このアンプ１２からの信号をダウンコンバートするためのＲＦ回路１４と、このＲＦ回路１４からの信号を復調するベースバンド回路１５と、このベースバンド回路１５にて復調された音声信号を出力するスピーカ１９とを備えている。また、マイク１１０から入力された音声は、ベースバンド回路１５にて符号化され、この符号化された信号は、ＲＦ回路１４にてアップコンバートされ、このアップコンバートされた信号は、アンプ１３にて増幅され、アンテナ１１から送信される。これらから携帯電話を構成している。
【００１９】
なお、ベースバンド回路１９にて復調された音声はスピーカ１９から出力される代わりに、切り替え１１３を介してイヤホンジャック１１１から出力されてもよい。また、メール等の受信データはベースバンド回路１５にて復調された後マイコン１６にて処理され切り替え１１２を介してディスプレイ１８に出力する。また、キー入力部１７は電話やメール等の操作を行うためキー入力部を示し、いわゆるキーボタンや液晶画面等のタッチボードを含む。
【００２０】
なお、デジタル放送受信部にて、ＭＰＥＧデコード部１１５を単独で構成しているが、ベースバンド回路１５及びマイコン１６を用いてＭＰＥＧデコード処理を行うようにしても良い。また、選局部１１４でのデジタル放送受信におけるチャンネルの切り替えは、キー入力部１７を用いる。またアンテナ１１は電話用とデジタル放送受信用を共用できない場合、それぞれ設けても良い。
【００２１】
次に、このデジタル放送受信装置でデジタル放送を視聴する際の説明を行う。
まず視聴者は、デジタル放送のＴＶを視聴しようと思うと、キー入力部１７に配置されているＴＶを視聴するためのボタンを押す。このボタンは、独立した専用のボタンが用意されていても良いし、メニューボタンからディスプレイに表示されたメニューをインクリメントすることで選択できるようにしても良い。
【００２２】
ＴＶボタンが押されると、デジタル放送受信装置では、ベースバンド回路１５、ＲＦ回路１４、アンプ１２及びアンテナ１１を利用して携帯電話基地局にアクセスして回線を開く。この回線を利用してマイコン１６から指示されたＳＩ或いはＰＳＩ情報を提供するサーバーにアクセスする。ＳＩ或いはＰＳＩ情報を提供するサーバーの所在地は何処にあっても良いが、サーバーは回線を中継している携帯電話基地局の情報から、このデジタル放送受信装置の位置を判定し、その位置に最適なＳＩ或いはＰＳＩ情報を提供する。
【００２３】
次に、現在の位置に最適なＳＩ或いはＰＳＩ情報を取得した後、デジタル放送受信装置は、マイコン１６にてこの情報を用いて電子番組表（ＥＰＧ）を構成しディスプレイ１８に表示する。
【００２４】
視聴者は、その地域で視聴可能なＥＰＧから視聴したい番組を選択し、キー入力部１７から指示をする。この指示を受けたデジタル放送受信装置は、選局部１１４にて選局を行い、所望のチャンネルを選局して視聴できるようにする。
【００２５】
また、視聴者がこのデジタル放送受信装置の電源を入れないなど、放送を受信できない状態で場所を移動し、前回のＴＶを視聴していた地域から他の地域の放送局が放送する地域へ移動した場合など、最初に携帯電話基地局からインターネット等を利用してその地域に適切なＳＩ或いはＰＳＩ情報を取得したＥＰＧを構成して選局できるので、その地域の放送局から情報を入手してＥＰＧ表示する場合と比較して、すばやくかつ快適に番組選択できる。
【００２６】
また、このデジタル放送受信装置を用いてＴＶを視聴しながら移動している際に、他の放送局が放送している地域に移動した場合、携帯電話基地局を介して定期的にサーバーとアクセスすることによって以下の効果がある。
【００２７】
他の地域の放送局が放送する地域へ移動した情報をサーバーからデジタル放送受信装置へすばやく通知することが可能であり、同時にその地域に最適なＳＩ或いはＰＳＩ情報を入手することが可能となる。
【００２８】
また、デジタル放送受信装置では、この最適なＳＩ或いはＰＳＩ情報を元に、現在視聴者が視聴している番組と同じ番組が同一時間単位放送されているかどうかを判定し、同じ番組が提供されている場合には、視聴者に、同一番組が提供されており切り替えたほうがよりよい電波状態で視聴できる旨を通知できる。また、この地域で提供されている番組に自動的に切り替えることで視聴者に番組視聴を中断或いは煩わせることなく良好な電波受信状態に維持できる。
【００２９】
また、新たに得たＳＩ或いはＰＳＩ情報を解析した結果、現在視聴中の番組と同じ番組が提供されていない場合には、次のような処理を行う。
視聴者に、現在の視聴中の番組を提供するサービスエリアから離れつつあり、やがて視聴できなくなる可能性があることを示す警告を表示する。
また、現在視聴中の番組を提供するサービスエリアから離れつつあり、当該地域で提供されている番組のＥＰＧ表示が可能なことを示す。また、この場合に視聴者は、見られなくなることを承知で見つづけるか、当該地域で視聴可能な別の番組を視聴するかの選択を行うことができる。
【００３０】
また、使用者が電車で移動中にデジタル放送受信をしている場合を想定すると、電車が地下やトンネル等の電波が届きにくい場所に入った場合、電車がデジタル放送信号を送信している電波塔から離れる方向に移動していき、サービスエリア外に出てしまった場合が想定される。
【００３１】
このような場合に対し、このデジタル放送受信装置は、携帯電話中継局を介して通信系を通じてテレビ放送のサービスを受けることもできる。
すなわち視聴者がこのデジタル放送受信装置を視聴しながら移動している際に、サーバーとのアクセスを定期的に行うことにより、現在ＴＶを視聴していた地域から、他の地域の放送局が放送する地域へ移動した場合において、以下のような処理が可能となる。
【００３２】
他の地域の放送局が放送する地域へ移動したことをサーバーからデジタル放送受信装置に通知することが可能であり、その場合にサーバーからもしくは、その地域の放送信号からその地域の放送番組のＳＩ或いはＰＳＩ情報を入手して、そのなかから通信系を介して視聴可能なテレビ番組を選択することが可能となる
【００３３】
また、このデジタル放送受信装置は、新たに得たＳＩ或いはＰＳＩ情報を解析し、現在視聴者が視聴している番組と同じ番組が、同一時刻で放送されているかどうかを判定し、ある場合に、視聴者に、現在視聴中の番組を提供するサービスエリアから離れつつあり、やがて視聴できなくなる可能性があることを示す警告表示と共に通信系を通じて現在視聴中の番組のＴＶサービスがあることを示す表示を可能とする。
【００３４】
また、視聴者がこのデジタル放送受信装置を視聴しながら移動している際に、サーバーとのアクセスを定期的に行うことにより、以下のような処理が可能となる。
サーバーから得たＳＩ或いはＰＳＩ情報を解析し、現在視聴者が視聴している番組と同じ番組が、通信系を通じてサービスされているかどうかを判定する。
同じ番組が提供されている場合であって、視聴中の番組が、電波が届きにくい場所に入った等の理由により視聴できなくなっており、一方で通信系を通じてサービスを享受できる通信状態のときに、自動的に通信系を通じてサービスを受けるべく受信の切り替えを行うものとする。その切り替えに際しては、以下を条件とする。
【００３５】
予め視聴者が自動で切り替える設定にしていること。所定時間の視聴できなくなる状態が続いていること。この時間は、例えば１０秒など、視聴者が設定できるようになっていることが望ましい。この条件に合致した場合に、自動的に切り替えると共に、引き続き視聴が可能となるように制御する。なお、視聴者が視聴できなくなった地域から離れて、再び視聴が可能な地域に移った場合には、再び放送信号から番組を受信するように切り替えるものとする。この場合も以下の条件とする。また、予め視聴者が自動で切り替える設定にしていること。所定時間の視聴できる状態が続いていること。この時間は、例えば５秒など、視聴者が設定できるようになっていることが望ましい。
【００３６】
また、このデジタル放送受信装置を視聴しながら移動している際に、サーバーとのアクセスを定期的に行うことにより、以下のような処理が可能となる。
サーバーは現在視聴者が視聴している基地局の情報から、通信系を通じてサービスを受けた方が良いのか否かを判定する。もし同じ番組を、通信系を通じて提供している場合であって、視聴中の番組が、電波が届きにくい場所に入った等の理由により通信系を通じてサービスを受信した方が良いとサーバーが判断した場合に、サーバーからデジタル放送受信装置に指示を送り、自動的に通信系を通じてサービスを受けるべく受信の切り替えを行うものとする。その切り替えに際しては、予め視聴者が自動で切り替える設定にしていることを条件とする。
【００３７】
この条件に合致した場合に、自動的に切り替えると共に、引き続き視聴が可能となるように制御する。なお、視聴者が視聴できなくなった地域から離れて、再び視聴が可能な地域に移ったとサーバーが判断した場合には、再び放送信号から番組を受信するように切り替えるものとする。この場合予め視聴者が自動で切り替える設定にしていることを条件とする。
【００３８】
このようにこのデジタル放送受信装置では、視聴者が選択したイベントを移動しながら最適な状態で視聴することが可能となり、ネットワークを利用した電子プログラムガイドサービスにより、近くの携帯電話基地局から随時当該イベントを最適に受信するためのチャンネル情報（受信周波数）を入手することができる。また、ＥＰＧにはイベントごとに通信路を通じて当該イベントの受信も可能かどうかの情報も提供される。
【００３９】
また、最適なチャンネルが無い地域（場所）では、通信路を通じて当該イベントを受信する。また、放送受信の中断時間が所定時間１（例：０．５ｓ）以上になった場合に、自動的に通信路を通じて当該イベントの受信を行い、放送受信が所定時間２（例：１ｓ）以上可能となった場合、自動的に放送により当該イベントの受信を行うようにする。
【００４０】
また、放送系、通信系どちらで視聴したほうが良いかを示す情報は近くの携帯電話基地局から随時提供され、自動的に切り替える。
本実施形態では、携帯電話機にＴＶ受信するための復調、選局回路、映像音声等のデコード回路を追加し内蔵したものを説明した。表示部については携帯電話機に元々あるディスプレイ部をＴＶ視聴の際に切り替え使用する。音声は携帯電話機からイヤホンジャック等を通じて提供され、イヤホン、ヘッドホンで聴く。また映像音声等のデコード回路に関しては、携帯電話機の付加機能として最近注目されているムービー機能のための回路を共用しても良い。また、専用ＴＶ受信機や、汎用機器にデジタル放送受信モジュールを接続する形態のＴＶに、追加で携帯電話の通信モジュールを組み込んだものでもよい。携帯電話の通信モジュールとは、例えばデータ通信に特化したＰＣカード型のモジュールやコンパクトフラッシュ（Ｒ）型のモジュールであり、上記ＴＶに接続し、使用することを想定する。更には、携帯電話にＢｌｕｅｔｏｏｔｈ（商品名）などの無線接続機能がある場合、この無線接続機能と同じ機能を上記ＴＶにも設け、無線接続機能を通じて接続された携帯電話を利用して、通信を行うことを想定する。
【００４１】
【発明の効果】
本発明は、携帯機器のように受信状況が移動によって変化しても、地上波デジタル放送の選局を快適に行い、受信状態を満足な状態に維持することが可能なデジタル放送受信装置を提供できる。
【図面の簡単な説明】
【図１】本発明の実施形態に係るデジタルホ送受信装置の概念図。
【符号の説明】
１１・・・アンテナ
１２・・・アンプ
１３・・・アンプ
１４・・・ＲＦ回路
１５・・・ベースバンド回路
１６・・・マイコン
１７・・・キー入力部
１８・・・ディスプレイ
１９・・・スピーカ
１１１・・・イヤホンジャック
１１２・・・切り替え器
１１３・・・切り替え器
１１４・・・選局部
１１５・・・ＭＰＥＧデコード部
【図１】
2005026914.tif 000003